(57)【要約】【課題】主たる目的は、排紙皿より長いサイズの用紙が排出されて積載されても落下を招かず積載できる排紙皿を備えた排紙装置および画像形成装置を提供すること。【解決手段】排出される用紙を積載する排紙皿の排紙方向に沿って前記用紙の先端側を屈曲させるべく略中央部にリブが形成された排紙皿を有する排紙装置において、前記リブに対して、用紙の先端側の屈曲度合いを規制する規制手段を設けたことを特徴とする排紙装置。【選択図】　　　　図２
2004018128.tif 000002
【特許請求の範囲】
【請求項１】
排出される用紙を積載する排紙皿の排紙方向に沿って前記用紙の先端側を屈曲させるべく略中央部にリブが形成された排紙皿を有する排紙装置において、
前記リブに対して、用紙の先端側の屈曲度合いを規制する規制手段を設けたことを特徴とする排紙装置。
【請求項２】
前記規制手段は、前記リブの排紙方向に沿って低い段差を形成し、前記段差形成位置から前記排紙皿の先端部まで形成されるリブからなることを特徴とする請求項１に記載の排紙装置。
【請求項３】
前記規制手段は、前記リブの両側方向の位置であって前記排紙皿の先端部分に着脱し得るチップからなることを特徴とする請求項１に記載の排紙装置。
【請求項４】
前記チップの形状は、前記先端部から前記排紙皿上面まで形成される曲線からなることを特徴とする請求項３に記載の排紙装置。
【請求項５】
請求項１乃至請求項４のいずれか１項に記載の排紙装置を備えたことを特徴とする画像形成装置。
【発明の詳細な説明】
【０００１】
【発明の属する技術分野】
本発明は、複写機、プリンタ、ファクシミリやインクジェット方式等の画像形成装置に関し、特に、排出されてくる用紙を積載する排紙装置に係わる。
【０００２】
【従来の技術】
複写機、ファクシミリ、プリンタ等の画像形成装置には、用紙を積載する排紙皿を備えた排紙装置が配置されている。
【０００３】
しかし、近年の傾向として、画像形成装置の高速化と共にコンパクト化が進められており、従って、画像形成装置本体の平面面積以内の小さな空間に収まる排紙皿を備えた排紙装置にして、この排紙皿上に排出されてくる用紙を積載するようにしている。
【０００４】
この結果、装置構成の関係から排紙皿の排紙方向の寸法を、使用する用紙サイズの最大寸法よりも短くせざるを得なくなり、短くしたこの前記排紙皿上へは、排出されてくる用紙が安定して積載されず、装置外へ落下してしまうという不都合が生じていた。
【０００５】
上記対策として次のことを試みてみた。
▲１▼　排紙皿への用紙の排出直前に排紙ローラ（図５の７８参照）の排紙速度を減速させる。この場合、他の駆動部と連動しているものでは減速度合いに限度があり、十分な対応が出来なかった。
【０００６】
▲２▼　排紙皿の長さを伸縮できる構成にして用紙の安定な積載が可能になるようにする。この場合は、構成する部品点数が増加してしまう。
【０００７】
▲３▼　排紙皿の排紙方向の端部に用紙の落下防止ストッパを設ける。この場合、用紙が取りだし難くなると共に構成する部品点数が増加してしまうことが解った。
【０００８】
前記の難点があり、特に、排紙皿より長いサイズの用紙を排出する場合で、用紙先端が上側に反って即ち上カールして排出されてくると、小さな空間に、排紙皿の上側を覆うように壁がある場合（図５、Ｂ１参照）に用紙の先端が接触し、その結果、用紙の整列が乱れてしまう。その影響で、上流側にある用紙を排出する排紙ローラ部分でもジャミングが発生してしまい、用紙の排出が不能となる場合がある。
【０００９】
又、排紙皿より長いサイズの用紙を排出する場合で、用紙先端が下側に反る即ち下カールしている厚紙の用紙（坪量１２８ｇ／ｍ２）や下カールしている４３２ｍｍ（１７インチ）長の用紙では、排紙皿上面に用紙先端が当たり、その接触抵抗で先端側が円筒状になりジャミングしたり、あるいは前記用紙が排紙皿から装置外へ落下してしまうことがある。以上の問題があり、下記に示すように排紙皿の略中央部に一定長のリブを形成して改善対策を進めていた。
【００１０】
図５は、従来の排紙皿を有する排紙装置を備えた画像形成装置の図である。
図６は、従来の排紙皿の斜視図である。
【００１１】
ここでは、排紙装置のみについて説明をする。
排紙装置ＨＡは、定着手段Ｈにて加熱・加圧処理される用紙Ｐの排紙路７８と、用紙Ｐ（Ｐ１、Ｐ２とも表現する）を排紙皿Ｔ１上へ排出する排紙ローラ７９と、用紙Ｐを積載できる排紙皿Ｔ１とで構成してある。
【００１２】
前記排紙皿Ｔ１は、原稿画像読取部Ｂの底壁Ｂ１と、画像形成装置（本体）１の図左側の側壁１００と、Ｌ形状の仕切壁１０１と、奥壁１０２とから形成される狭い空間に配置してある。
【００１３】
従って、用紙Ｐの積載できる空間寸法は、例えば、図示してある左右方向４００ｍｍ以下、奥行き方向、約４００ｍｍ、用紙Ｐの積載可能な上部空間が約９０ｍｍ程度となる。そして、図５の手前側（図面に対する垂直方向）と前記側壁１００部分とには、手の差し入れの可能な空間が形成され、積載される用紙Ｐの取り出しが出来るように構成してある。
【００１４】
前記排紙ローラ７９の駆動回転は、前記仕切壁１０１の右下側に配設されている定着手段Ｈ等と連動している図示しない駆動源からの動力によってなされる。
【００１５】
前記排紙皿Ｔ１は、用紙受け部２０１と、用紙Ｐの腰折りと先端側を屈曲させ得るリブ２０２と、飛翔してくる用紙との接触状態を安定させる複数の半円形状の小リブ２０３と、積載される用紙Ｐを取り出し易くする半円部２０４と、用紙Ｐの取り出し用の切り欠き部２０５と、前記奥壁１０２への組み付け爪２０６および前記仕切壁１０１への組み付け爪（図示しないが後端部２０７に形成してある）とからなっている。
【００１６】
前記リブ２０２の上側の幅は、Ａ−Ａ矢視方向から見て、例えば、約４５ｍｍで上面が大きな半円形状をしている。また、例えば、前記リブ２０２の長さは、後端部２０７から左側先端の稜線２１０まで水平方向寸法で約３２０ｍｍである。
【００１７】
以下、用紙Ｐの挙動については、用紙Ｐ１と用紙Ｐ２とに分けて説明する。
排紙皿Ｔ１より比較的に短いサイズの用紙Ｐ１の挙動は、図に示すように、前記排紙ローラ７９を介して飛翔する矩形状の用紙Ｐ１先端がリブ２０２と小リブ２０３に当たり、次に、前記両リブと面接触しながら用紙Ｐ１は、上り勾配（曲線でもある）を有するリブ２０２および小リブ２０３上を排紙方向（図５の左方向）に進む。
【００１８】
そして、前記リブ２０２の上面の作用により用紙Ｐの進む方向の中央部が腰折りされつつ進み、次いで、前記リブ２０２の左側先端に形成される稜線２１０（図６参照）を介して用紙Ｐ１の先端側が自重で、進行方向に前下がりに屈曲しながら飛翔して、用紙受け部２０１の上面と面接触して進み排紙皿Ｔ１上に載置される。
【００１９】
前記用紙Ｐ１が連続的に多数枚が排出される場合には、既排出の用紙上と面接触しながら進み、その用紙上に順次積載される。
【００２０】
排出される用紙Ｐ２サイズの長さが、排紙皿Ｔ１の長さ（４００ｍｍ以下）より長いサイズ、例えば、４３２ｍｍ（１７インチ）長の用紙Ｐ２の挙動は、用紙Ｐ１で説明した場合と同様に、矩形状の用紙Ｐ２先端がリブ２０２と小リブ２０３上を排紙方向に進む。そして、前記リブ２０２の上面の作用により用紙Ｐの進む方向の中央部が腰折りされつつ、次いで、前記稜線２１０を介して自重で、用紙Ｐ２の先端側が前下がりに屈曲しながら進む。
【００２１】
前記リブ２０２の上面の作用によって、長いサイズの前記用紙Ｐ２は、腰折りされて即ち進む方向に凸状になっているため上カールにならず、上側にある前記底壁に用紙先端が接触することによる整列の乱れやジャミング、および、下カールしている長いサイズの用紙Ｐ２の場合にも先端側が円筒状になることによるジャミング等は解消した。
【００２２】
しかし、前記用紙Ｐ２ではすでに排出された用紙が積み重なっている上に排出されると、それらの先端側が前下がりに屈曲しているため、上に積載されずに装置外に滑り落ちてしまうという問題点が新たに発生した。
【００２３】
【発明が解決しようとする課題】
本発明は、上記の問題点に鑑みてなされたもので、その主たる目的は、排紙皿より長いサイズの用紙が排出されて積載されても落下を招かず積載できる排紙皿を備えた排紙装置および画像形成装置を提供することにある。
【００２４】
【課題を解決するための手段】
本発明の目的は、以下に示す構成により達成することができる。
【００２５】
（１）排出される用紙を積載する排紙皿の排紙方向に沿って前記用紙の先端側を屈曲させるべく略中央部にリブが形成された排紙皿を有する排紙装置において、前記リブに対して、用紙の先端側の屈曲度合いを規制する規制手段を設けたことを特徴とする排紙装置。
【００２６】
（２）前記規制手段は、前記リブの排紙方向に沿って低い段差を形成し、前記段差形成位置から前記排紙皿の先端部まで形成されるリブからなることを特徴とする（１）に記載の排紙装置。
【００２７】
（３）前記規制手段は、前記リブの両側方向の位置であって前記排紙皿の先端部分に着脱し得るチップからなることを特徴とする（１）に記載の排紙装置。
【００２８】
（４）前記チップの形状は、前記先端部から前記排紙皿上面まで形成される曲線からなることを特徴とする（３）に記載の排紙装置。
【００２９】
（５）（１）乃至（４）のいずれか１項に記載の排紙装置を備えたことを特徴とする画像形成装置。
【００３０】
【発明の実施の形態】
本発明の実施の形態の一例を以下、図面に基づいて説明する。
【００３１】
図１は、デジタル電子写真複写機（以下、画像形成装置という）の構成を示す模式図である。
【００３２】
ここでは複写機について説明するが、本発明の画像形成装置としてはこれに限定されるものではなく、搬送路、画像形成部、排紙装置等を有するものであればファクシミリやプリンタでもよく、またインクジェット方式等の別の方式による画像形成装置であっても当然よい。
【００３３】
図において、前記画像形成装置（本体）１は、自動原稿搬送装置（通称ＡＤＦ）Ａと、前記自動原稿搬送装置Ａにより搬送される原稿の画像を読み取るための原稿画像読取部Ｂと、読み取った原稿の画像を符号化してデータ処理する画像処理手段Ｃと、画像処理後のデータに従って感光ドラムからなる像担持体１０上に書き込みを行う書き込みユニット１２を含む書き込み部Ｄと、前記像担持体１０及びその周囲に帯電電極１４、磁気ブラシ型現像装置からなる現像手段１６、転写電極１８、分離電極２０、クリーニング手段２１等の画像形成手段Ｅと、記録材（以下、用紙という）Ｐを収容する複数の給紙部（以下、給紙トレイまたは、トレイということもある）２２、２４、６０等を有している。参照符号６０で示す給紙部は、手差し用のトレイである。
【００３４】
前記自動原稿搬送装置Ａは、原稿載置台２６、ローラＲ１を含むローラ群および原稿の移動通路を適宜切り替えるための切替手段等（参照符号なし）を含む原稿搬送処理部２８を主要素とする。
【００３５】
前記原稿画像読取部Ｂは、天板ガラスＧの下にあり、光路長を保って往復移動できる２つのミラーユニット３０、３１、固定の結像レンズ（以下、レンズという）３３、ライン状の撮像素子（以下、ＣＣＤという）３５等からなり、前記書き込み部Ｄは、レーザ光源４０、ポリゴンミラー（偏光器）４２等からなる。
【００３６】
前記自動原稿搬送装置Ａは、公知であり、また、前記原稿画像読取部Ｂ、書き込み部Ｄ、画像処理手段Ｃおよび画像形成手段（像担持体１０上にトナー像を形成し、用紙Ｐ上に当該トナー像を転写させる手段）Ｅを備えた画像形成装置１および、その画像形成プロセスはよく知られているので、説明は簡略に行うこととする。
【００３７】
なお、前記転写電極１８の手前側に示すＲ１０はレジストローラであり、前記分離電極１８の下流側に示すＨは定着手段であり、ＨＢは排紙装置である。
【００３８】
前記定着手段Ｈは、実施の形態においては、加熱源を内蔵する加熱ローラと当該加熱ローラに圧切しながら回転する加圧ローラとの２つローラで構成してある。
【００３９】
排紙手段である前記排紙装置ＨＢは、排紙路７８と、排紙ローラ７９と、排紙皿Ｔおよび仕切壁１０１等で構成してあり、本発明に係わる前記排紙皿Ｔ以外は
、図５に示した従来の構成と基本的に同じ構成を有しており、詳細は後述する。
【００４０】
上記構成において、前記像担持体１０上にトナー像を形成し、用紙Ｐ上に転写させた後、排紙皿Ｔに前記用紙Ｐを排出するプロセスは、概略、下記の通りである。
【００４１】
原稿載置台２６上に載置される原稿（図示せず）の１枚が原稿搬送処理部２８中で搬送され、前記ローラＲ１の下を通過中に、露光手段Ｌによるスリット露光が行われる。
【００４２】
前記原稿からの反射光は、固定位置にある前記ミラーユニット３０、３１およびレンズ３３を経て前記ＣＣＤ３５上に結像され読み取られる。
【００４３】
前記原稿画像読取部Ｂで読み取られた画像情報は、画像処理され、符号化されて画像データとして前記画像処理手段Ｃ内に設けてあるメモリーに格納される。
【００４４】
また、画像データは画像形成に応じて呼び出され、当該画像データに従って前記書き込み部Ｄにおけるレーザ光源４０が駆動され、前記像担持体１０上に露光が行われる。
【００４５】
当該露光に先立ち、矢印方向に回転する前記像担持体１０は、前記帯電電極１４のコロナ放電作用により所定の表面電位を付与されているが、前記露光により、露光部分の電位が露光量に応じて減じ、結果として、前記画像データに応じた静電潜像が像担持体１０上に形成される。
【００４６】
前記静電潜像は、前記現像手段１６により反転現像され、可視像（トナー像）とされる。
【００４７】
一方、前記像担持体１０上のトナー像の先端部分が転写領域に到達する前に、例えば、給紙トレイ２２内の１枚の用紙Ｐが給紙搬送されて前記レジストローラＲ１０に到達し、先端規制されている。
【００４８】
前記用紙Ｐは、前記トナー像、即ち、像担持体１０上の画像領域と重畳するように、同期を取って回転を開始する前記レジストローラＲ１０により転写領域に向けて搬送される。
【００４９】
転写領域において、前記像担持体１０上のトナー像は前記転写電極１８の付勢により用紙Ｐ上に転写され、次いで、当該用紙は前記分離電極２０の付勢により前記像担持体１０から分離される。
【００５０】
その後、前記定着手段Ｈのローラの加圧・加熱作用により前記トナー像を形成するトナー粉末は前記用紙Ｐ上に溶融定着され、当該用紙Ｐは、排紙路７８および排紙ローラ７９を介して排紙皿Ｔ上に排出される。
【００５１】
尚、前記排紙皿Ｔに、ハッチング表示のリブ（後記する）上側に細線で表示してあるのは、用紙Ｐが整列されて積載された場合の姿である。
【００５２】
図１に戻って、給紙トレイ２２、２４は、実施の態様において、上下方向に２段に配設した形態にあるが、それ以上の数の給紙トレイを備えることもできる。
【００５３】
用紙Ｐは給紙トレイ２２のみに示してある。
前記給紙トレイ２４の底部と装置本体の底部との間に、所定の間隙を持った空間部２５は、用紙Ｐの両面に画像を形成する態様（モード）において、使用するものであり、用紙Ｐの表裏反転用の第２搬送路８０（後記する）と共同して用紙Ｐの表裏反転を達成するのに寄与する。
【００５４】
前記給紙トレイ２２、２４のそれぞれの給紙方向の先端部の上部に示す５０および５３はローラからなる給紙手段、５１および５４フィードローラ、５２、５５は重送防止ローラである。
【００５５】
７０は、用紙Ｐ上に転写による画像形成（画像記録）を行わせるための第１搬送路で、用紙Ｐの移動方向から見て、下方から上方に延びている。
【００５６】
７２は上段の給紙トレイ２２に収納される用紙用の給紙通路、７４は下段の給紙トレイ２４に収納される用紙用の給紙通路であり、７６は前記両トレイから送られる用紙Ｐが合流する合流部（前記第１搬送路の一部）である。
【００５７】
７８は、所定の画像形成が成された用紙Ｐを前記排紙皿Ｔ上に排出するための排紙路である。
【００５８】
８０は、用紙Ｐの両面に画像形成を行う場合に使用する用紙Ｐの表裏反転用の第２搬送路であり、図の上方において、前記第１搬送路と連通している。
【００５９】
前記第２搬送路８０は、用紙Ｐの移動方向から見て、上方から下方に向かって延びている。
【００６０】
また、前記第２搬送路８０の下端部は略垂直に延びる搬送路としてあり、その下端は下段の前記給紙トレイ２４よりも下側に延び、そして、第１搬送路７０と接続している。
【００６１】
前記第１搬送路７０と前記第２搬送路８０との接続部には、可逆回転可能な一対のローラからなる搬送手段Ｒ２０（以下、説明の便宜上、スイッチバック用ローラＲ２０という）が設けてある。
【００６２】
９０は、図の上方に配設してある分岐ガイドで、第１面に画像形成された用紙Ｐを前記排紙路７８に向かわせたり、または、前記第２搬送路８０に向かわせたりするように制御される。
【００６３】
９３は、搬送路を切り替えるための下側に配設してある分岐ガイドで、スイッチバック用ローラＲ２０の下側に設けてあり、１つの態様としては、用紙Ｐの表裏反転に際して、前記第２搬送路８０を移動してくる用紙Ｐを前記空間部２５に向かわせるように使用される。
【００６４】
画像形成プロセスにおいて、前記第２搬送路８０を移動してくる用紙Ｐが前記空間部２５に向けて送り出された時、当該用紙Ｐの後端は前記スイッチバック用ローラＲ２０で把持されているように構成してあり、従って、前記空間部２５には用紙Ｐの一部分が収納されることになる。
【００６５】
前記分岐ガイド９３は、前記分岐ガイド９０と同様に、ユーザの設定した画像形成モードに従って制御部を介して制御される。
【００６６】
上記構成の画像形成装置１における用紙Ｐの第２面に対する画像形成プロセスは下記の通りである。
【００６７】
前述した如く、第１面に画像形成された用紙Ｐが前記第１搬送路７０を上昇移動し、その先端が前記分岐ガイド９０に達したとき、当該分岐ガイド９０は図の破線位置に保たれているので、前記用紙Ｐは第２搬送路８０に進入し、移動を継続する。
【００６８】
前記第２搬送路８０を下降し、その下端に達すると、前記用紙Ｐはスイッチバック用ローラＲ２０に挟持され、前記第２搬送路８０から外れた前記分岐ガイド９３の方向に送り出される。
【００６９】
そのとき、前記分岐ガイド９３は図示の実線位置にあるので、送り出されてくる前記用紙Ｐは下段の給紙トレイ２４の下に形成してある前記空間部２５に導かれる。このとき、用紙Ｐの画像形成された第１面は下側にある。
【００７０】
やがて、前記スイッチバック用ローラ２０が前記用紙Ｐの後端を挟持した状態で回転を停止し、その後、逆方向に回転を開始すると、前記用紙Ｐは表裏を反転された状態、即ち、画像が形成されていない第２面が前記像担持体１０側に向けられた状態で前記第１搬送路７０に送り込まれ、前記レジストローラＲ１０で先端規制される。
【００７１】
一方、前記像担持体１０上には、前述したプロセスにより第２のトナー画像が形成されており、当該像担持体１０の回転に同期して前記レジストローラＲ１０が回転を始めると、第２のトナー画像領域と重なる状態で前記用紙Ｐが転写領域に進入する。
【００７２】
以後、転写処理、分離処理、定着処理がされた用紙Ｐの先端が前記分岐ガイド９０のある部分に達したとき、前記分岐ガイド９０は図の実線位置に保たれており、前記第１搬送路７０と前記排紙路７８とを連通状態とし、前記第２搬送路８０と連通を絶っているので、前記用紙Ｐは前記排紙路７８に進入し、排紙ローラ７９を介して排紙皿Ｔ上に排出される。
【００７３】
図２は、本発明に係わる排紙皿を説明するための模式図である。図２（ａ）は斜視図であり、図２（ｂ）は前記斜視図のＡ−Ａ矢視方向からの側面図である。
【００７４】
図に示すように、排紙皿Ｔは、用紙受け部３０１と、リブ３０２と、小リブ３０３と、用紙Ｐの屈曲度合いを規制する規制手段であるリブ３０４と、切り欠き部３０５と、組み付け爪３０６と、後端部３０７に形成した組み付け爪３０９とから構成してある。
【００７５】
本実施の形態においては、前記リブ３０２は、後端部３０７から水平方向寸法で２８０ｍｍまで上がり勾配（曲線でもある）を有し、そこから水平方向に４０ｍｍ続き、稜線３１０まで全長寸法は３２０ｍｍであり、また、後端部３０７からの垂直線と勾配を有するリブとの角度は約８３度である。
【００７６】
前記リブ３０４は、排紙方向に沿って前記リブ３０２の図左側先端に低い段差を形成し、この段差形成位置から排紙皿Ｔの先端部３０８まで形成してある。
【００７７】
前記先端部３０８側のリブ３０４の高さは、例えば、前記リブ３０２の稜線３１０の高さと、ほぼ、同等である。この高さや勾配等は、画像形成装置の排紙装置の構造や用紙Ｐの排紙速度により変わり得る。
【００７８】
尚、前記リブ３０４以外の部位の機能や寸法は従来の排紙皿Ｔ１で説明したものと同じである。
【００７９】
排出される用紙Ｐの挙動は、排紙ローラ７９を介して飛翔する矩形状の用紙Ｐの先端ＰＦがリブ３０２と小リブ３０３とに当たり、次に、前記用紙Ｐは、面接触しながら上がり勾配を有するリブ３０２および小リブ３０３上を排紙方向に進む。
【００８０】
そして、前記用紙Ｐは、前記リブ３０２の上面による作用で用紙Ｐの進む方向の中央部が腰折りされつつ、次いで、前記リブ３０２の図左側先端に形成される稜線３１０を介して用紙Ｐの先端側が自重で、前下がりに屈曲しながら進む。
【００８１】
更に、前記リブ３０２の中腹から形成してあるリブ３０４に用紙Ｐの先端ＰＦが当たり、前記リブ３０４により用紙Ｐ先端側の屈曲度合いが規制される。
【００８２】
前記規制と共に、腰折りされつつ上り勾配を有する前記リブ３０４上と前記腰折り作用に伴って用紙受け部３０１上と面接触する用紙Ｐが、前記リブ３０４の左側端部および用紙受け部３０１の先端部３０８側まで進み、用紙の先端ＰＦの位置が、用紙受け部３０１の先端部３０８近傍で停止するようになり、後端ＰＴも前記仕切壁１０１近傍に収まり、安定した状態で用紙Ｐが排紙皿Ｔ上に積載されるようになる。従って、装置外への用紙Ｐの落下が防止できる。
【００８３】
尚、長い用紙サイズである、１７インチ（４３２ｍｍ）長で１１インチ（約２７０ｍｍ）幅等の用紙Ｐ場合、排紙皿寸法４００ｍｍより長いため、用紙Ｐの先端ＰＦは、用紙受け部３０１の先端部３０８近傍（少しはみ出した状態）で停止する。
【００８４】
従って、この積載された用紙束の下側及び前記リブ３０４の両サイドにできる隙間に指先を差し込み、コピー済み用紙束を取り出せるので、従来例の排紙皿Ｔ１に形成してある用紙Ｐを取り出し易くする半円部２０４と同じ役目を果たせることになる。
【００８５】
図３は、本発明に係わる他の態様の排紙皿を説明するための模式図であり、図４は、排紙皿の先端部分に対して着脱し得るチップの詳細を説明するための図である。図４（ａ）は斜視図であり、図４（ｂ）は前記先端部３０８方向から見た図である。
【００８６】
排紙皿Ｔ２については、前記排紙皿Ｔとの相違点のみを説明する。
図に示すように、リブ３０２は、排紙皿Ｔに形成した前記リブ３０２から用紙Ｐの屈曲度合いを規制する前記リブ３０４を無くした形状である。
【００８７】
従って、用紙受け部３０１は、前記リブ３０４のあった部分がフラットな形状になっている。
【００８８】
参照符号３２１は、前記リブ３０２の両側方向の位置であって、前記排紙皿Ｔ２の先端部３０８に配置させる規制手段たる着脱し得るチップである。
【００８９】
図４のように、用紙受け部３０１を２点鎖線で示し、チップを実線で示してある。前記チップ３２１は、チップ本体３２２と、差込脚３２３と差込脚３２４とから構成してあり、前記チップ本体３２２の形状は、例えば厚み３２３を備えた直角三角形で、その底辺３３０と垂直な辺との交わる部分に丸みを付けた形状をしている。
【００９０】
前記底辺３３０から下方に差込脚３２３と差込脚３２４とが形成してある。
前記差込脚３２３は底辺３３０から下側へ一定の長さと厚みを有し、その先端から直角な顎３２５が右方向に形成してあり、前記顎３２５の上面右端側には丸みが付けられている。
【００９１】
また、前記差込脚３２４も前記差込脚３２３と同じ長さと厚みを有している。
その幅ｈは前記両脚とも前記底辺３３０以下の寸法である。
【００９２】
前記排紙皿Ｔ２の先端部３０８近傍の用紙受け部３０１の平面には、前記チップ３２１に形成してある前記両脚を差し込める矩形の孔が形成してある。
【００９３】
また、前記用紙受け部３０１の裏側（下側）には挿入ガイドとなるガイドリブ３２７、３２８が垂直に形成してある。材質は前記チップ３２１も前記排紙皿Ｔ２（排紙皿Ｔも同じ）とも、例えば、ポリカーボネート（ＰＣ）・ＡＢＳ樹脂である。
【００９４】
前記チップ３２１の装着は、差込脚３２３と差込脚３２４とを前記矩形の孔へ挿入すると、前記ガイドリブ３２７、３２８にガイドされて進み、底辺３３０面が用紙受け部３０１の上面で停止すると共に、差込脚３２３に形成してある前記顎３２５が前記ガイドリブ３２７と係合することでなされる。
【００９５】
前記チップ３２１の脱脚は、少し力を付加して引っ張ることにより前記差込脚３２３が弾性変形して係合が解除するので可能となる。
【００９６】
尚、前記チップ３２１の用紙Ｐの屈曲度合いを規制する面の長さは、チップ３２１の先端部３３５から排紙皿Ｔ２の上面まで２点鎖線で表示のように適宜の寸法に変更してもよい。また、前記チップ３２１を１つにして、前記リブ３０２の延長線上に配置してもよい。
【００９７】
排出される用紙Ｐの挙動については、排紙皿Ｔの場合の説明とほぼ同じなので省略する。
【００９８】
以上の構成のように、リブ３０４を形成あるいはチップ３２１を配置して用紙の先端側の屈曲度合いを規制する規制手段を設けたことで、排紙皿より長いサイズであって、上カール、下カールして排出されてくる用紙であっても排紙皿上に安定して積載が可能となり、前記用紙が装置外に落下しない排紙皿を備えた排紙装置および画像形成装置を提供できた。
【００９９】
この効果として、▲１▼排紙皿に積載できる用紙容量が多く成り、▲２▼排紙皿のコンパクト化が実現し、▲３▼排紙皿の構成部品点数の削減ができた。
【０１００】
上記のように、斯様な簡易な対策で大きな効果を達することが出来た。
【０１０１】
【発明の効果】
本発明によれば、リブあるいはチップを設けることで、定着処理されて排出されてくる用紙が排紙皿より長い寸法であってもまた積載された上への排紙であっても装置外に用紙が落下しない排紙皿を備えた排紙装置および画像形成装置を提供することが出来た。
【図面の簡単な説明】
【図１】画像形成装置の構成を示す模式図である。
【図２】本発明に係わる排紙皿を説明するための模式図である。
【図３】本発明に係わる他の態様の排紙皿を説明するための模式図である。
【図４】着脱し得るチップの詳細を説明するための図である。
【図５】従来の排紙皿を有する排紙装置を備えた画像形成装置の図である。
【図６】従来の排紙皿の斜視図である。
【符号の説明】
Ｐ　用紙
ＨＢ　排紙装置
Ｔ、Ｔ２　排紙皿
ＰＦ　先端
ＰＴ　後端
Ｂ１　底壁
３０１　用紙受け部
３０２　リブ
３０３　小リブ
３０６、３０９　組み付け爪
３０７　後端部
３０４　リブ
３１０　稜線
３０８、３３５　先端部
３２１　チップ
３２２　チップ本体
３２３、３２４　差込脚
３２５　顎
３２７、３２８　ガイドリブ
３３０　底辺
【図１】
2004018128.tif 000003
【図２】
2004018128.tif 000004
【図３】
2004018128.tif 000005
【図４】
2004018128.tif 000006
【図５】
2004018128.tif 000007
【図６】
2004018128.tif 000008